(57)【要約】【課題】設置される住宅プランに応じた最適な換気量での常時換気を可能とし、さらにこの最適な換気量の設定を容易かつ確実に行うことができる換気扇装置を提供すること。【解決手段】局所換気機能とともに建物全体の常時換気機能も有するレンジフード１であって、常時換気時の換気量の設定を可変とし、個々の建物に応じた最適な常時換気を可能とする。【選択図】      図６
2004353929.tif 000002
【特許請求の範囲】
【請求項１】
局所換気機能とともに建物全体の常時換気機能も有する換気扇装置であって、常時換気時の換気量の設定を可変とし、個々の建物に応じた常時換気を可能とすることを特徴とする換気扇装置。
【請求項２】
建物の床面積及び換気回数、並びに換気量の関係を示す演算テーブルを有し、入力された前記建物の床面積及び換気回数の情報に基づいて前記演算テーブルを用いて前記常時換気時の換気量を算出する算出手段を備えたことを特徴とする請求項１に記載の換気扇装置。
【請求項３】
動作指示を入力するための操作部を備え、
前記建物の床面積及び換気回数の情報は、前記操作部から入力可能であることを特徴とする請求項２に記載の換気扇装置。
【発明の詳細な説明】
【０００１】
【発明の属する技術分野】
本発明は、厨房等の局所換気とともに建物全体の常時換気も可能な換気扇装置に関する。
【０００２】
【従来の技術】
近年、住宅（建物）の高気密化・高断熱化が進むにつれて、住宅内の空気を外部に排出するとともに新鮮な外気を住宅内に取り込むため２４時間常に微量な換気を行う常時換気の重要性がますます増しつつある。
【０００３】
この住宅全体の常時換気を行うにあたっては、従来より厨房等に設置される局所換気用の換気扇装置等を利用するものが知られている（例えば、特許文献１参照。）。この特許文献１に記載のレンジフードは、通常の厨房の換気として用いられる「強」運転、「中」運転、「弱」運転の他に、部屋全体の常時換気も可能なように小風量である「微弱」運転にも切り換えることができるようになっている。
【０００４】
【特許文献１】
特開平１０−１８５２５４号公報
【０００５】
【発明が解決しようとする課題】
ところで、住宅内の常時換気時における最適な換気量（風量）は住宅の床面積と天井高と換気回数との積によって決定されるため、床面積や天井高の異なる個々の住宅プランによって常時換気の最適換気量はそれぞれ異なることとなる。しかしながら、従来からある常時換気可能な換気扇装置は常時換気の場合の換気量の設定が最大でも２、３通りのパターンでしか調整できないものが通常で、このような換気扇装置では住宅プランによっては最適な常時換気が行えない可能性がある。
【０００６】
また、従来の換気扇装置では、常時換気の換気量設定は風量自体の値、又は風量の値に関連付けられた指示値（例えば「１」、「２」や「多め」、「少なめ」等）によって行うこととなっているのが一般的であるため、設置される住宅の床面積や天井高等に基づいて最適な換気量を算出した後に換気量設定を行う必要があり、計算間違いや設定ミスが生じ易くなる。
【０００７】
本発明は、このような問題に鑑みてなされたもので、設置される住宅プランに応じた最適な換気量での常時換気を可能とし、さらにこの最適な換気量の設定を容易かつ確実に行うことができる換気扇装置を提供することを課題としている。
【０００８】
【課題を解決するための手段】
このような課題を解決するために、請求項１に記載の発明は、局所換気機能とともに建物全体の常時換気機能も有する換気扇装置であって、常時換気時の換気量の設定を可変とし、個々の建物に応じた常時換気を可能とすることを特徴とする。
【０００９】
請求項２に記載の発明は、請求項１に記載の発明において、建物の床面積及び換気回数、並びに換気量の関係を示す演算テーブルを有し、入力された前記建物の床面積及び換気回数の情報に基づいて前記演算テーブルを用いて前記常時換気時の換気量を算出する算出手段を備えたことを特徴とする。
【００１０】
請求項３に記載の発明は、請求項２に記載の発明において、動作指示を入力するための操作部を備え、前記建物の床面積及び換気回数の情報は、前記操作部から入力可能であることを特徴とする。
【００１１】
【発明の実施の形態】
以下、図面を参照して本発明の実施の形態について説明する。
【００１２】
図１は、本発明の実施の形態に係る換気扇装置としてのレンジフードを示す。
【００１３】
このレンジフード１は、キッチンの局所換気を行う局所換気機能と、住宅（建物）全体の２４時間連続換気を行う常時換気機能とを備えており、常時換気の際の換気量（風量）は住宅の床面積や換気回数に合わせて多段階的に設定できるようになっている。
【００１４】
レンジフード１は、前方が開口した本体２と、この前方に取り付けられた前板３と、本体２の上方に設けられた幕板４とを備えている。本体２内には、その中央に住宅内の空気を吸い込んで外部に排出するファン５が設けられ、さらにこのファン５に隣接するように制御ボックス６が設けられている。
【００１５】
この制御ボックス６は、図２に示すように、その内部に後述する常時換気量設定部１２及び操作パネル１５からなる操作部からの指示によりレンジフード１の動作全体を制御するＭＰＵ（算出手段）７及びファンモータ８を駆動するモータ駆動回路９を有している。ＭＰＵ７は、予め図３に例示するような換気量演算テーブル３０を備えている。この換気量演算テーブル３０は、天井高をある一定値とした上で、住宅の床面積の値と換気回数の値とをパラメータとして、これらの値に基づいて常時換気時の最適な換気量を一義的に決定するものである。なお、この常時換気時の最適な換気量は住宅の床面積の値と天井高の値と換気回数の値との積で決定され、換気量演算テーブル３０は、天井高をある一定値とした上で、住宅の床面積の値と換気回数の値とを変数として、この変数に応じた積の結果を常時換気時の最適な換気量として示している。
【００１６】
ＭＰＵ７はこの換気量演算テーブル３０を用いて常時換気時の最適な換気量を演算するようになっている。例えば、図３に示す換気量演算テーブル３０によれば、床面積の値が１００ｍ２、換気回数の値が０．５回／ｈの場合は、最適な換気量は１３０ｍ３／ｈとなる。
【００１７】
また制御ボックス６の外部前方側面には、図４に示す床面積設定スイッチ１０及び換気回数設定スイッチ１１からなる常時換気量設定部１２が設けられて、この常時換気量設定部１２はそれぞれＭＰＵ７に接続されている。
【００１８】
床面積設定スイッチ１０は、常時換気の際の換気量を算出するために用いられる住宅の床面積の情報を入力するロータースイッチであり、４０ｍ２から２２０ｍ２まで３０ｍ２毎に７点の目盛が設けられている。操作者は住宅の床面積に合わせて設定したい床面積の値に床面積設定スイッチ１０を合わせて床面積情報を入力するようになっている。
【００１９】
また、換気回数設定スイッチ１１は、同様に常時換気の際の換気量を算出するために用いられる換気回数の情報を入力するロータースイッチであり、０．３回／ｈ、０．５回／ｈ、０．７回／ｈの３点の目盛が設けられている。操作者は設定したい換気回数の値に換気回数設定スイッチ１１を合わせて換気回数情報を入力するようになっている。
【００２０】
なお、このように床面積設定スイッチ１０及び換気回数設定スイッチ１１が設けられているので、操作者は床面積の値及び換気回数の値を簡単に入力することができる。また、現在設定してある床面積の値と換気回数の値とが一目で分かり、容易に認識できる。
【００２１】
本体２の開口は住宅内の空気を取り込む空気取込口であり、この空気取込口はフィルタ１３によって被覆されて、空気が取り込まれる際に浄化されるようになっている。
【００２２】
前板３には、その下方に照明１４が設けられるとともに、前面には図５に示す操作パネル１５が設けられている。この操作パネル１５は、レンジフード１の電源のＯＮ・ＯＦＦを操作する電源スイッチ１６と、キッチンの局所換気を行う際の操作に用いられる局所換気操作部１７と、常時換気を行う際の操作に用いられる常時換気操作部１８とを備えている。
【００２３】
局所換気操作部１７は、局所換気運転の停止を操作する「切」ボタン１９と、局部換気運転の開始等を操作する「運転」ボタン２０と、照明の点灯・消灯を操作する「照明」ボタン２１とを備え、「運転」ボタン２０の上方には設定された風量をその点灯で示す「弱」ランプ２２と、「中」ランプ２３と、「強」ランプ２４とが設けられている。
【００２４】
常時換気操作部１８は、常時換気の運転等を操作する「設定」ボタン２５を備えている。操作者が電源スイッチ１６を「入」に入れた後にこの「設定」ボタン２５を押すと、常時換気の運転が開始される。また、操作者が再度「設定」ボタン２５を押すと、常時換気の運転が停止される。
【００２５】
「設定」ボタン２５の上方には常時換気が行われていることをその点灯で示す「常時」ランプ２６と、自動で常時換気が行われることを示す「自動」ランプ２７とが設けられるとともに、「設定」ボタン２５の図中右側には点灯によってそれぞれの状況を示す「タバコ」ランプ２８と、「湿気」ランプ２９とが設けられている。
【００２６】
このレンジフード１において常時換気の際の換気量を設定する場合は、まず操作者が住宅の床面積に合わせて設定したい床面積の値に床面積設定スイッチ１０を合わせるとともに、設定したい換気回数の値に換気回数設定スイッチ１１を合わせる。これによって、図６に示すように、床面積の値及び換気回数の値の情報が入力されて、ＭＰＵ７がこの情報を受けると（Ｓ１）、ＭＰＵ７はこの情報をパラメータとして換気量演算テーブル３０を用いて換気量を算出する（Ｓ２）。すなわち、ＭＰＵ７は床面積の値及び換気回数の値の２つの入力値から一義的に決定される換気量演算テーブル３０上の値を算出結果として換気量を決定する。つぎに、ＭＰＵ７はこの演算結果を信号としてモータ駆動回路９に出力する（Ｓ３）。モータ駆動回路９はこの信号を受けてファンモータ８を駆動し、最適な換気量での常時換気を実現する。
【００２７】
この実施の形態に係るレンジフード１では、局所換気機能とともに住宅全体の常時換気機能し、常時換気時の換気量の設定を可変としたので、床面積等が異なる個々の住宅プランに応じて最適な換気量での常時換気が可能となる。また、この最適な換気量の設定が床面積の値と換気回数の値とを入力するだけで可能となるため、操作者が常時換気時の最適な換気量を割り出すための専門的な知識を有することを必要とせず、さらに最適な換気量を導き出す際の計算間違いや設定ミスも防止可能で、換気量の設定を容易かつ確実に行うことができる。
【００２８】
つぎに、本実施の形態の変形例として、図７にレンジフード１’を示す。このレンジフード１’はレンジフード１が備えている床面積設定スイッチ１０及び換気回数設定スイッチ１１からなる常時換気量設定部１２を無くすかわりに、図８に示す操作パネル１５’を兼用することによって床面積の値と換気回数の値とを入力するようにしたものである。
【００２９】
操作パネル１５’は常時換気時の換気量を設定するための「２４時間」ボタン３５を備え、この「２４時間」ボタン３５が押されると設定モードに切り換わって常時換気時の換気量が設定可能となるとともに、操作パネル１５’の所定のボタン、例えば「運転」ボタン２０及び「設定」ボタン２５によって床面積の値及び換気回数の値が入力できるようになっている。これによって、部品点数を少なくしてコストの低減を図ることができる。
【００３０】
このレンジフード１’において、操作者が「２４時間」ボタン３５を押すと、常時換気の際の換気量を設定することができるようになる。この後、操作者が「運転」ボタン２０を押すと、まず床面積の値として４０ｍ２が入力され、さらに１回「運転」ボタン２０を押すと４０ｍ２にかわって７０ｍ２が入力され、このようにして「運転」ボタン２０を押すごとに、１００ｍ２、１３０ｍ２・・・と３０ｍ２毎に値が順次増加して入力されていき２２０ｍ２まで入力できるようになっている。一方、操作者が「設定」ボタン２５を押すと、まず換気回数の値として０．３回／ｈが入力され、さらに１回「設定」ボタン２５を押すと０．３回／ｈにかわって０．５回／ｈが入力され、さらに１回「設定」ボタン２５を押すと０．５回／ｈにかわって０．７回／ｈが入力されるようになっている。
【００３１】
また、現在設定されている床面積の値と換気回数の値が一目で分かるように、設定モードにおいては、床面積の値は図９に示すように、「弱」ランプ２２と「中」ランプ２３と「強」ランプ２４との点灯・消灯の組み合わせで、また換気回数の値は図１０に示すように、「タバコ」ランプ２８と「湿気」ランプ２９との点灯・消灯の組み合わせで、それぞれ２進法表示により表示されるようになっている。このような２進法表示によっても、現在設定してある床面積の値と換気回数の値とが一目で分かり、容易に認識できる。
【００３２】
床面積の値と換気回数の値の入力を終えた後に操作者が再度「２４時間」ボタン３５を押すと、設定モードが解除されて通常の状態に戻る。
【００３３】
また、この変形例では操作パネル１５’に「２４時間」ボタン３５を設けたが、図１１に示す操作パネル１５’’のように、この「２４時間」ボタン３５を設けずに、「２４時間」ボタン３５の機能（設定モードの設定・解除の機能）を他のボタンで代用することとしてもよい。例えば、操作パネル１５’’のある所定のボタン（例えば「切」ボタン１９）を長押しする（通常より数秒間長く連続して押し続ける）ことにより、設定モードの設定・解除を行うようにしたり、操作パネル１５’’の２つ以上のボタン（例えば「切」ボタン１９と「運転」ボタン２０）を同時に押すことにより、設定モードの設定・解除を行うようにしたりしてもよい。
【００３４】
【発明の効果】
本発明は、以上説明したように構成したので、設置される住宅プランに応じた最適な換気量での常時換気を可能とし、さらにこの最適な換気量の設定を容易かつ確実に行うことができる。
【図面の簡単な説明】
【図１】本発明の実施の形態に係るレンジフードを示す説明図である。
【図２】図１のレンジフードの制御ボックスにかかわる回路の概要を示す説明図である。
【図３】換気量演算テーブルの例を示す図である。
【図４】図１のレンジフードの常時換気量設定部を示す拡大図である。
【図５】図１のレンジフードの操作パネルを示す拡大図である。
【図６】常時換気時の換気量設定におけるＭＰＵの動作を示すフローチャートである。
【図７】実施の形態の変形例としてのレンジフードを示す説明図である。
【図８】図７のレンジフードの操作パネルを示す拡大図である。
【図９】設定された床面積の値の表示例を示す説明図である。
【図１０】設定された換気回数の値の表示例を示す説明図である。
【図１１】操作パネルの他の例を示す拡大図である。
【符号の説明】
１、１’                  レンジフード（換気扇装置）
７                        ＭＰＵ（算出手段）
１２                      常時換気量設定部
１５、１５’、１５’’    操作パネル
３０                      演算テーブル（換気量演算テーブル）
【図１】
2004353929.tif 000003
【図２】
2004353929.tif 000004
【図３】
2004353929.tif 000005
【図４】
2004353929.tif 000006
【図５】
2004353929.tif 000007
【図６】
2004353929.tif 000008
【図７】
2004353929.tif 000009
【図８】
2004353929.tif 000010
【図９】
2004353929.tif 000011
【図１０】
2004353929.tif 000012
【図１１】
2004353929.tif 000013